(57)【特許請求の範囲】
【請求項１】
建造物における免震装置の据え付け個所の上下間に仮受けジャッキを据え付けて、建造物の荷重を仮受けする第１の工程と、
建造物における上部躯体と下部躯体との間に免震装置設置空間を形成する第２の工程と、
この免震装置設置空間における上部躯体と下部躯体のいずれか一方の面に免震装置を取り付けるとともに、この免震装置における躯体に接していない面と上部躯体及び下部躯体のいずれか他方の面との間に、固定側くさび板と可動側くさび板とからなる４台のくさび装置を、前記可動側くさび板が中心に向かって圧入されるように十文字状に配置し、これら十文字状に配置した４台のくさび装置の相隣る側面側に形成される４角隅部であって、一部が前記免震装置の外周縁上に重なるようにそれぞれ１台ずつ４台の受け替えジャッキを並べて配置して取り付ける第３の工程と、
前記受け替えジャッキにより前記仮受けジャッキの仮受け荷重を受け替えする第４の工程と、
前記くさび装置により免震装置と躯体との隙間がなくなるように密着させる第５の工程と、
この第５の工程の後に、受け替えジャッキと仮受けジャッキを除去し、くさび装置を躯体と一体化する第６の工程と
からなることを特徴とする免震装置の荷重受け替え方法。
【請求項２】
第２の工程は、建造物の柱又は既設杭を切断してこの柱又は既設杭の上部躯体と下部躯体との間に免震装置設置空間を形成するようにしたことを特徴とする請求項１記載の免震装置の荷重受け替え方法。
【請求項３】
第２の工程は、地中に別途埋設した基礎杭からなる下部躯体と建造物の一部からなる上部躯体との間に免震装置設置空間を形成するようにしたことを特徴とする請求項１記載の免震装置の荷重受け替え方法。
【請求項４】
建造物における上部躯体と下部躯体との間に形成した免震装置設置空間に、免震装置を据え付けて建造物を振動から保護する免震装置の荷重受け替え装置において、
前記免震装置設置空間の形成時に建造物の荷重を仮受けする仮受けジャッキと、
前記免震装置設置空間における上部躯体と下部躯体のいずれか一方の面に接して取り付けられる免震装置と、
この免震装置における躯体と接していない面と前記上部躯体と下部躯体のいずれか他方の面との間に、固定側くさび板と可動側くさび板とからなり、前記可動側くさび板が中心に向かって圧入されるように十文字状に配置した４台のくさび装置と、
これら十文字状に配置した４台のくさび装置の相隣る側面側に形成される４角隅部であって、一部が前記免震装置の外周縁上に重なる位置に前記４台のくさび装置と並べてそれぞれ１台ずつ配置して取り付けられ、前記仮受けジャッキの仮受け荷重を受け替えする４台の受け替えジャッキと
を具備し、前記くさび装置の可動側くさび板を中心に向かって圧入して前記免震装置と前記躯体との隙間がなくなるように密着させた後に、前記受け替えジャッキと仮受けジャッキを除去し、前記くさび装置を躯体と一体化するようにしたことを特徴とする免震装置の荷重受け替え装置。
【発明の詳細な説明】
【技術分野】
【０００１】
本発明は、既設の建造物を地震による損傷から防護するために上部躯体と下部躯体とを切断してその空間に免震装置を取り付けるための免震装置の荷重受け替え方法及び装置に関するものである。
【背景技術】
【０００２】
既設の高層建造物における荷重のかかる基礎杭の一部を切断し、その空間に免震装置を据え付ける方法が知られている（特許文献１）。この方法は、図８に示すように、建造物１０の基礎杭１１の周辺に、複数本の補助杭１３を打ち込み、これらの補助杭１３の上端部と建造物１０との空間に、第１のサポートジャッキ１４を介在して前記建造物１０を支持し、基礎杭１１と建造物１０とを切り離して建造物１０の下方に耐圧盤１２を形成し、この耐圧盤１２の上に複数台の第２のサポートジャッキ１５とオイルジャッキ１６を据え付け、これらの第２のサポートジャッキ１５とオイルジャッキ１６の上に免震装置１７を載せ、この免震装置１７を、上部支承部１８を介して建造物１０の下面に密接させ、密接後にオイルジャッキ１６を除去して、第２のサポートジャッキ１５を下部支承部１９にて耐圧盤１２に固着するようにしたものである。前記第１のサポートジャッキ１４及びオイルジャッキ１６は、図９に示すように、下部台板２１を固定し、上部台板２０を螺杆２３とともにオイルジャッキにて押し上げて建造物１０に密接させ、ナット２４を回しながら直管２２に接触させて固定するものである。
【０００３】
基礎杭の切断に代えて、既設の建造物の柱２７の一部を切断し、免震装置を据え付ける方法が知られている（特許文献２）。この方法は、図７に示すように、建造物１０の既設の柱２７の切断個所に柱補強２８と梁補強２９を施し、切断個所の上下にブラケット等を取り付け、上下のブラケット間にジャッキを介在して建造物１０の荷重を受けた後、柱２７の一部を切断した空間に免震装置１７を据え付け、据え付け後に上下のブラケットとジャッキを除去するようにしたものである。
【先行技術文献】
【特許文献】
【０００４】
【特許文献１】特開平１０−２４６００４号公報。
【特許文献２】特開２００３−１６１０４４号公報。
【発明の概要】
【発明が解決しようとする課題】
【０００５】
免震装置１７は、上部鋼板と下部鋼板との間に複数枚の薄い鋼板とゴム板とを交互に積層し、外周をゴムで被覆した汎用品が用いられる。
このような免震装置１７は、特許文献１及び２の方法で据え付けたとき、据え付け作業時に建造物１０の荷重を支えていた油圧ジャッキを除去すると、免震装置１７に建造物１０の全荷重がかかるので、免震装置１７は、弾性変形をして建造物１０が数ｍｍ沈み込むおそれがある。
一般に、重要な既設構造物、老朽化した既設構造物、不静定構造物など許容変位量が小さい場合、仮受け杭などの支持条件や荷重の変動が予想されるような場合には、プレロード工（前もって荷重を導入する工法）を導入する必要がある。
【０００６】
さらに詳しくは、特許文献１によれば、免震装置１７の建造物１０側への密接調整及び第２のサポートジャッキ１５の支持固定作業後に、オイルジャッキ１６を除去して第２のサポートジャッキ１５を下部支承部１９で固着作業を行うことにより免震装置１７の受け替えが完成する。１個所の免震荷重受け替えを終了すると、順次、他の基礎杭について同様の作業を繰り返す、と記載されている。
しかし、複数個所の第１のサポートジャッキ１４をいつ解放するのか、サポートジャッキを解放して免震装置に荷重を受け替えるときに免震装置の弾性変形に伴い建造物が沈み込むのを調整するのかどうかなどの調整プレロード工についての記載はない。もし、沈み込みを調整しないと、第１のサポートジャッキ１４を解放したときに建造物１０に免震装置の弾性変形分の沈み込みが生じる。
【０００７】
また、特許文献２によれば、免震装置にレベル調整のためのレベル調整ボルトを有し、ジャッキの開放時に鉛直荷重の負担による免震装置の沈下量を含めたレベル調整が行われる、と記載されているが、複数の免震装置への荷重の受け替えをどのような方法で、どのような順序で行うかについての詳細な記載はない。
【０００８】
本発明は、以上のような問題点を解決するためになされたもので、建造物に複数台の免震装置を据え付ける際に、建造物に免震装置の弾性変形分の沈み込みが生じないようにして免震装置の受け替えを可能にした受け替え方法および装置を提供することを目的とするものである。
【課題を解決するための手段】
【０００９】
本発明による免震装置の荷重受け替え方法は、
建造物における免震装置の据え付け個所の上下間に仮受けジャッキを据え付けて、建造物の荷重を仮受けする第１の工程と、
建造物における上部躯体と下部躯体との間に免震装置設置空間を形成する第２の工程と、
この免震装置設置空間における上部躯体と下部躯体のいずれか一方の面に免震装置を取り付けるとともに、この免震装置における躯体に接していない面と上部躯体及び下部躯体のいずれか他方の面との間に、固定側くさび板と可動側くさび板とからなる４台のくさび装置を、前記可動側くさび板が中心に向かって圧入されるように十文字状に配置し、これら十文字状に配置した４台のくさび装置の相隣る側面側に形成される４角隅部であって、一部が前記免震装置の外周縁上に重なるようにそれぞれ１台ずつ４台の受け替えジャッキを並べて配置して取り付ける第３の工程と、
前記受け替えジャッキにより前記仮受けジャッキの仮受け荷重を受け替えする第４の工程と、
前記くさび装置により免震装置と躯体との隙間がなくなるように密着させる第５の工程と、
この第５の工程の後に、受け替えジャッキと仮受けジャッキを除去し、くさび装置を躯体と一体化する第６の工程と
からなることを特徴とする。
【発明の効果】
【００１０】
請求項１記載の発明によれば、
建造物における免震装置の据え付け個所の上下間に仮受けジャッキを据え付けて、建造物の荷重を仮受けする第１の工程と、
建造物における上部躯体と下部躯体との間に免震装置設置空間を形成する第２の工程と、
この免震装置設置空間における上部躯体と下部躯体のいずれか一方の面に免震装置を取り付けるとともに、この免震装置における躯体に接していない面と上部躯体及び下部躯体のいずれか他方の面との間に、固定側くさび板と可動側くさび板とからなる４台のくさび装置を、前記可動側くさび板が中心に向かって圧入されるように十文字状に配置し、これら十文字状に配置した４台のくさび装置の相隣る側面側に形成される４角隅部であって、一部が前記免震装置の外周縁上に重なるようにそれぞれ１台ずつ４台の受け替えジャッキを並べて配置して取り付ける第３の工程と、
前記受け替えジャッキにより前記仮受けジャッキの仮受け荷重を受け替えする第４の工程と、
前記くさび装置により免震装置と躯体との隙間がなくなるように密着させる第５の工程と、
この第５の工程の後に、受け替えジャッキと仮受けジャッキを除去し、くさび装置を躯体と一体化する第６の工程と
からなるので、受け替えジャッキによる仮受けジャッキの仮受け荷重を受け替えし、くさび装置により免震装置と躯体との隙間がなくなるように密着させることにより、免震装置に、建造物の荷重をあらかじめ加えるという調整プレロード工が行われる。従って、免震装置への受け替えを行っても免震装置の弾性変形による建造物の沈み込みが生じないから、ジャッキを解放しても建造物に異常な応力が発生せず、損傷を与えることがない。
【００１１】
また、請求項１記載の発明によれば、
くさび装置により免震装置と上部躯体または下部躯体の隙間がなくなるように密着させる第５の工程の後に、受け替えジャッキと仮受けジャッキを除去し、くさび装置を躯体と一体化する第６の工程を付加したので、免震装置が正しい位置に固定される。また、くさび装置が躯体と一体化されるが、くさび装置は、安全ナット機構付きジャッキを使用する場合に比較して安価であり、経済性にも優れている。ちなみに、くさび装置と受け替えジャッキを併用し、受け替え後に受け替えジャッキを除去して建造物と一体化する本発明は、従来のように、受け替えジャッキを使用し、受け替え後に受け替えジャッキを除去せずに埋め殺しして建造物と一体化する場合に比較して、そのコストを１／２〜１／３とすることができる。
【００１２】
請求項２記載の発明によれば、
第２の工程は、建造物の柱又は既設杭を切断してこの柱又は既設杭の上部躯体と下部躯体との間に免震装置設置空間を形成するようにしたので、重要な既設構造物、老朽化した既設構造物、不静定構造物など許容変位量が小さい場合でも安全に作業ができる。
【００１３】
請求項３記載の発明によれば、
第２の工程は、地中に別途埋設した基礎杭からなる下部躯体と建造物の一部からなる上部躯体との間に免震装置設置空間を形成するようにしたので、基礎杭の上に建造された建造物の免震が確実に行われる。
【００１４】
請求項４記載の発明によれば、
建造物における上部躯体と下部躯体との間に形成した免震装置設置空間に、免震装置を据え付けて建造物を振動から保護する免震装置の荷重受け替え装置において、
前記免震装置設置空間の形成時に建造物の荷重を仮受けする仮受けジャッキと、
前記免震装置設置空間における上部躯体と下部躯体のいずれか一方の面に接して取り付けられる免震装置と、
この免震装置における躯体と接していない面と前記上部躯体と下部躯体のいずれか他方の面との間に、固定側くさび板と可動側くさび板とからなり、前記可動側くさび板が中心に向かって圧入されるように十文字状に配置した４台のくさび装置と、
これら十文字状に配置した４台のくさび装置の相隣る側面側に形成される４角隅部であって、一部が前記免震装置の外周縁上に重なる位置に前記４台のくさび装置と並べてそれぞれ１台ずつ配置して取り付けられ、前記仮受けジャッキの仮受け荷重を受け替えする４台の受け替えジャッキと
を具備し、前記くさび装置の可動側くさび板を中心に向かって圧入して前記免震装置と前記躯体との隙間がなくなるように密着させた後に、前記受け替えジャッキと仮受けジャッキを除去し、前記くさび装置を躯体と一体化するようにしたので、建造物への受け替え時の建造物の荷重による免震装置の弾性変形をくさび装置で前もって除去し、建造物に異常な応力を発生させることなく確実に受け替えをすることができる。
【００１５】
また、請求項４記載の発明によれば、
くさび装置は、固定側くさび板と可動側くさび板とからなる４台のくさび装置を、可動側くさび板が中心に向かって圧入されるように十文字状に配置し、これら十文字状のくさび装置の４隅に４台の受け替えジャッキを配置したので、バランスよく、かつ安定して荷重の受け替えができる。
【図面の簡単な説明】
【００１７】
【図１】本発明による免震装置の荷重受け替え方法及び装置の実施例１を示す正面図である。
【図２】本発明による免震装置の荷重受け替え方法及び装置の平面図である。
【図３】本発明による免震装置の荷重受け替え方法及び装置の詳細な正面図である。
【図４】本発明の免震装置の荷重受け替え方法及び装置に用いられたくさび装置４２の側面図である。
【図５】本発明の免震装置の荷重受け替え方法及び装置に用いられたくさび装置４２の他の例を示す側面図である。
【図６】本発明による免震装置の荷重受け替え方法及び装置の実施例２を示す平面図である。
【図７】柱２７の一部を切断して免震装置１７を据え付けた従来例を示す説明図である。
【図８】基礎杭１１の一部を切断して免震装置１７を据え付けた従来例を示す説明図である。
【図９】図８における第１のサポートジャッキ１４の斜視図である。
【発明を実施するための形態】
【００１８】
本発明の免震装置の荷重受け替え方法は、
建造物１０における免震装置１７の据え付け個所の上下間に仮受けジャッキ３５を据え付けて、建造物１０の荷重を仮受けする第１の工程と、
建造物１０における上部躯体３０と下部躯体３１との間に免震装置設置空間５２を形成する第２の工程と、
この免震装置設置空間５２における上部躯体３０と下部躯体３１のいずれか一方の面に免震装置１７を取り付けるとともに、この免震装置１７における躯体に接していない面と上部躯体３０及び下部躯体３１のいずれか他方の面との間に受け替えジャッキ３９とくさび装置４２を並べて取り付ける第３の工程と、
前記受け替えジャッキ３９により前記仮受けジャッキ３５の仮受け荷重を受け替えする第４の工程と、
前記くさび装置４２により免震装置１７と躯体（上部躯体３０又は下部躯体３１）との隙間がなくなるように密着させる第５の工程と、
受け替えジャッキ３９と仮受けジャッキ３５を除去し、くさび装置４２を躯体と一体化する第６の工程と
からなることを特徴とする。
からなる。
【００１９】
第２の工程では、建造物１０の柱２７又は既設杭を切断してこの柱２７又は既設杭の上部躯体３０と下部躯体３１との間に免震装置設置空間５２を形成するようにすることができる。
また、この第２の工程では、地中に埋設した基礎杭からなる下部躯体と建造物の一部からなる上部躯体との間に免震装置設置空間５２を形成するようにすることもできる。
【００２０】
本発明の免震装置の荷重受け替え装置は、
建造物１０における上部躯体３０と下部躯体３１との間に形成した免震装置設置空間５２に、免震装置１７を据え付けて建造物１０を振動から保護する免震装置の荷重受け替え装置において、
前記免震装置設置空間５２の形成時に建造物１０の荷重を仮受けする仮受けジャッキ３５と、
前記免震装置設置空間５２における上部躯体３０と下部躯体３１のいずれか一方の面に接して取り付けられる免震装置１７と、
この免震装置１７における躯体と接していない面と前記上部躯体３０と下部躯体３１のいずれか他方の面との間に取り付けられ、前記仮受けジャッキ３５の仮受け荷重を受け替えする受け替えジャッキ３９と、
この受け替えジャッキ３９と並べて取り付けられて前記免震装置１７と前記躯体（上部躯体又は下部躯体）との隙間がなくなるように密着させるくさび装置とを具備している。
【００２１】
くさび装置４２は、固定側くさび板４０と可動側くさび板４１とからなる４台のくさび装置４２を可動側くさび板４１が中心に向かって圧入されるように十文字状に配置し、これら十文字状のくさび装置４２の４隅に４台の受け替えジャッキ３９を配置する。
また、くさび装置４２は、免震装置１７の受圧面と略同面積の略４角形の上下２枚の固定側くさび板４０とこれら２枚の間に圧入される１枚の可動側くさび板４１からなり、この可動側くさび板４１に、この可動側くさび板４１を圧入する油圧機構を設け、受け替えジャッキ３９とくさび装置４２とを兼用するようにしてもよい。
くさび装置４２と受け替えジャッキ３９の台数は、４台ずつに限られるものではなく、また、くさび装置４２を十文字状に配置し、十文字状のくさび装置４２の４隅に４台の受け替えジャッキ３９を配置する例に限られるものではない。
【実施例１】
【００２２】
以下、本発明の実施例１を図面に基づき説明する。
図１は、図７と同様に、既設の建造物１０における地下階の垂直な複数の柱２７の一部を切断して免震装置設置空間５２を形成して免震装置１７を据え付ける例を示している。
この免震装置設置空間５２は、柱２７の一部を切断して形成する例の他、図８に示すような既設の基礎杭１１などの既設杭の一部を切断して形成する例、さらに、地中に別途新たに埋設した基礎杭と建造物との間に形成する例であってもよい。
以下は、柱２７の一部を切断して免震装置設置空間５２を形成した場合について説明する。
【００２３】
（１）図１において、切断前の柱２７における切断個所の上部側にそれぞれ両側から上部ブラケット３２を挟み付けてＰＣ鋼材３４で固定するとともに、下部側にもそれぞれ両側から下部ブラケット３３を挟み付けてＰＣ鋼材３４で固定する。この固定方法は、図示例に限られるものではなく、アンカーボルト等であってもよい。
【００２４】
（２）これらの上部ブラケット３２と下部ブラケット３３との間には、仮受けジャッキ３５を据え付けて建造物１０の荷重を仮受けする。下部側の下部ブラケット３３の取り付けは、図１に示す柱２７に代えて図８に示すような別に設けた補助杭１３であってもよい。
【００２５】
（３）仮受けジャッキ３５による仮受け後、上部ブラケット３２と下部ブラケット３３の間の柱２７の一部をワイヤソーなどで切断する。図３の符号３６が切断面を示している。切断することで、柱２７は、上部躯体３０と下部躯体３１に分離される。
【００２６】
（４）下部躯体３１の上面の切断面３６に必要に応じてアンカーボルト５３を埋め込み、無収縮モルタルなどの成型層３７で水平面に仕上げる。上部躯体３０の下面の切断面３６にも必要に応じてアンカーボルト５３を埋め込み、無収縮モルタルなどの成型層３７で水平面に仕上げる。これらの水平面には、それぞれベース板３８を埋め込んだアンカーボルト５３で固着する。このようにして、免震装置設置空間５２が形成される。
【００２７】
（５）免震装置設置空間５２における下部躯体３１側のベース板３８の上に免震装置１７を載せ、免震装置１７の下側台板をアンカーボルト５３等で固着する。また、免震装置１７の上側台板には、ベース板３８を固着し、このベース板３８の上に４台の受け替えジャッキ３９と４台のくさび装置４２を載置する。これらの４台のくさび装置４２は、それぞれ固定側くさび板４０と可動側くさび板４１からなり、固定側くさび板４０の肉厚の厚い側を中心に向けて十文字状に配置し、上部躯体３０側のベース板３８に固定的に取り付ける。４台の受け替えジャッキ３９は、くさび装置４２を十文字状に配置した４隅に配置される。
【００２８】
（６）これら４台の受け替えジャッキ３９を油圧で伸長して、先に仮受けした仮受けジャッキ３５に代わって建造物１０の荷重を受け替える。すると、免震装置１７は、建造物１０の荷重を受けて荷重に応じた弾性変形をする。この状態で、可動側くさび板４１を、外周側が肉厚側となるように挿入して固定側くさび板４０とベース板３８の間にハンマー等で叩いて圧入する。可動側くさび板４１の内方部には、可動側くさび板４１の挿入隙間が残るような厚さのものが差し込まれる。可動側くさび板４１は、上下面に隙間がない状態で密接すれば良く、必要以上に強く叩き込む必要はない。この固定側くさび板４０と可動側くさび板４１の摺動面の角度は、２〜５度程度にして可動側くさび板４１が垂直荷重で水平方向に移動しないような小さな角度とする。このようにして受け替えジャッキ３９からくさび装置４２に荷重を受け替える。
【００２９】
（７）４台のくさび装置４２にて荷重を受け替えたら、受け替えジャッキ３９を開放してベース板３８の上から除去する。また、仮受けジャッキ３５も除去する。
【００３０】
（８）４台のくさび装置４２の周りを無収縮モルタル４９で上部躯体３０と一体化する。くさび装置４２は、固定側くさび板４０と可動側くさび板４１の面積が大きいので鉄筋などの補強は不必要であるが、必要に応じて鉄筋５４を入れてもよい。
【００３１】
前記実施例では、免震装置１７を下側に、受け替えジャッキ３９とくさび装置４２をその上側に据え付けたが、上下逆であってもよい。
【実施例２】
【００３２】
前記実施例１では、４台の受け替えジャッキ３９と４台のくさび装置４２を用いたが、図４ないし図６に示すように、１台のくさび装置４２を油圧機構４６で駆動して受け替えジャッキ３９とくさび装置４２を兼用するようにしたものであってもよい。
さらに詳しくは、図５及び図６において、免震装置１７の上に載せたベース板３８の上に、免震装置１７をすべて覆うような大きさの略４角形のくさび装置４２が据え付けられる。このくさび装置４２は、先端に向かって肉厚となる上下２枚の固定側くさび板４０が免震装置１７側のベース板３８と上部躯体３０側のベース板３８に固定的に取り付けられ、これら２枚のくさび装置４２の間に１枚の可動側くさび板４１が挿入され、この可動側くさび板４１の肉厚側に３台の油圧機構４６が着脱自在に取り付けられている。
【００３３】
前記可動側くさび板４１には、等間隔で３本のＰＣ鋼棒４３が挿通し、可動側くさび板４１の先端に圧入隙間を残して突出し、さらに２枚の固定側くさび板４０の先端面に係止する反力座金４７を貫通し、突出部にナット４８が螺合されている。前記可動側くさび板４１の基端部には、窓付きケース５１をあてがい油圧機構４６が取り付けられ、この油圧機構４６を貫通したＰＣ鋼棒４３にナット４８が螺合している。また、前記窓付きケース５１内で盛り替えナット４５が螺合し、２本のＰＣ鋼棒４３がカップラ４４で連結されている。
【００３４】
以上のような構成において、油圧機構４６によりＰＣ鋼棒４３に引っ張り力を付与すると、可動側くさび板４１は、図５の右方向に押し込まれ上部躯体３０と下部躯体３１との間に鉛直力が発生する。ここで、１台当たりの油圧機構４６の水平力が３５ｔｏｎ、くさび装置４２の角度θ＝５度、摩擦係数μ＝０．１とすると、鉛直力は約１８５ｔｏｎ発生する。
このくさび装置４２により、先に仮受けした仮受けジャッキ３５に代わって建造物１０の荷重を受け替える。すると、免震装置１７は、建造物１０の荷重に応じた弾性変形をする。この状態で、３個所の盛り替えナット４５をＰＣ鋼棒４３側に回してＰＣ鋼棒４３の端面に密着して可動側くさび板４１を固定する。可動側くさび板４１が固定したら、カップラ４４で連結した図中左側のＰＣ鋼棒４３を外して油圧機構４６等を取り外す。また、仮受けジャッキ３５も除去する。
くさび装置４２の周りを無収縮モルタル４９で埋め込み、上部躯体３０と一体化する。
【００３５】
図５に示す実施例では、上下２枚の固定側くさび板４０と中間の可動側くさび板４１との３枚でくさび装置４２を構成したが、図４に示すように固定側くさび板４０と可動側くさび板４１が１枚ずつの２枚のくさび装置４２であってもよい。この場合、可動側くさび板４１がベース板３８の上では滑りにくい場合には、可動側くさび板４１とベース板３８との間にスライディングベッド５０を介在してもよい。なお、図４では、図５に示すような油圧機構４６による駆動機構は省略してある。
【００３６】
前記図２に示した実施例では、４台のくさび装置４２を可動側くさび板４１が中心に向かって圧入するように十文字状に配置し、十文字状のくさび装置４２の４隅に４台の受け替えジャッキ３９を配置したが、これに限られるものではない。
たとえば、上部躯体３０と下部躯体３１の形状や大きさ、くさび装置４２と受け替えジャッキ３９の形状や能力などに応じて、１ないし複数台のくさび装置４２と、１ないし複数台の受け替えジャッキ３９の任意の組み合わせ、任意の配置により構成することができる。
【符号の説明】
【００３７】
１０…建造物、１１…基礎杭、１２…耐圧盤、１３…補助杭、１４…第１のサポートジャッキ、１５…第２のサポートジャッキ、１６…オイルジャッキ、１７…免震装置、１８…上部支承部、１９…下部支承部、２０…上部台板、２１…下部台板、２２…直管、２３…螺杆、２４…ナット、２５…補助板、２６…地中梁、２７…柱、２８…柱補強、２９…梁補強、３０…上部躯体、３１…下部躯体、３２…上部ブラケット、３３…下部ブラケット、３４…ＰＣ鋼材、３５…仮受けジャッキ、３６…切断面、３７…成型層、３８…ベース板、３９…受け替えジャッキ、４０…固定側くさび板、４１…可動側くさび板、４２…くさび装置、４３…ＰＣ鋼棒、４４…カップラ、４５…盛り替えナット、４６…油圧機構、４７…反力座金、４８…ナット、４９…無収縮モルタルによる躯体との一体化、５０…スライディングベッド、５１…窓付きケース、５２…免震装置設置空間、５３…アンカーボルト、５４…鉄筋。
【図１】
0005437113.tif 000002
【図２】
0005437113.tif 000003
【図３】
0005437113.tif 000004
【図４】
0005437113.tif 000005
【図５】
0005437113.tif 000006
【図６】
0005437113.tif 000007
【図７】
0005437113.tif 000008
【図８】
0005437113.tif 000009
【図９】
0005437113.tif 000010